(57)【要約】【課題】  遊技性を向上させる遊技構成部材を備えた弾球遊技機を提供する。【解決手段】  パチンコ機ＰＭが、第１ステージ部１１０、第２ステージ部１２０および第３ステージ部１３０からなるステージ部と、第１ステージ部１１０の前面に取り付けられて前後に延びる揺動軸１５３から下方に延びて吊り下げられ、揺動軸１５３を中心として左右に揺動自在な可動体１５１，１５２とを有し、第２ステージ部１２０に遊技球を受け止めて支持する溝部１２１が前後に延びて形成され、第２ステージ部１２０を溝部１２１に向けて転動する遊技球が溝部１２１の手前側に遊技球の転動を遮るように配設された可動体１５２に衝突して可動体１５２が溝部１２１の側に一定以上揺動するときに、遊技球が可動体１２１の下方を通過して溝部１２１内に落入し、溝部１２１を前方へ転動して始動入賞装置１７へ向けて落下するように構成される。【選択図】  図３
2006198137.tif 000002
【特許請求の範囲】
【請求項１】
入賞装置が設けられた遊技盤を立設配置して構成され、前記遊技盤の上部に打ち出された遊技球を前記遊技盤の前面に沿って落下移動させて前記入賞装置へ入賞させる遊技を行うように構成された弾球遊技機において、
前記遊技盤の前面に後方に凹んで形成され遊技球を内部空間内に導入可能に構成されたセンター役物が設けられ、
前記内部空間の下部に設けられ前記内部空間に導入された遊技球が転動可能なステージ部と、
前記内部空間において前記遊技盤に対して略垂直に延びる揺動軸から前記ステージ部の上方に遊技球の転動を遮るように吊り下げられ、前記揺動軸を中心として左右に揺動自在な可動体とを有し、
前記ステージ部に前記ステージ部を転動する遊技球を受け止めて支持する溝部が前後に延びて形成され、
前記ステージ部を前記溝部に向けて転動する遊技球が前記可動体に衝突して前記可動体が遊技球の転動する方向に一定以上揺動するときに、遊技球が前記可動体の下方を通過して前記溝部内に落入し、前記溝部を前方へ転動して前記センター役物の下方に設けられた所定の前記入賞装置に向けて落下するように構成されたことを特徴とする弾球遊技機。
【請求項２】
前記ステージ部が、第１のステージ部と、前記内部空間における前記第１のステージ部の前下方に設けられ、前記第１のステージ部から落下した遊技球を受け止めて前記センター役物の下方へ排出する第２のステージ部とを有して構成され、
前記揺動軸が前記第１のステージ部の前面に取り付けられて前記可動体が前記第２のステージ部における遊技球の転動を遮るように吊り下げられ、
前記溝部が前記第２のステージ部に形成されていることを特徴とする請求項１に記載の弾球遊技機。
【請求項３】
前記溝部が前記第２のステージ部の略中央部に形成され、
前記揺動軸が所定の間隔をおいて並設され左右一対の前記可動体が前記溝部を挟んで吊り下げられて、
前記左右一対の可動体が前記第２のステージ部上を左右いずれの側から前記溝部に向けて転動する遊技球の落下経路を変更可能であることを特徴とする請求項２に記載の弾球遊技機。
【請求項４】
前記溝部の一方の側の壁面と他方の側の壁面とが相違する高さを有して構成されることを特徴とする請求項１〜３に記載の弾球遊技機。
【請求項５】
前記第２のステージ部が、前記第２のステージ部上を左右両側から前記溝部に向けて転動する遊技球が互いに前記溝部の前後方向に異なる落入位置から前記溝部内へと落入するように形成されていることを特徴とする請求項１〜３に記載の弾球遊技機。
【発明の詳細な説明】
【技術分野】
【０００１】
本発明は、遊技盤の上部に打ち出された遊技球を遊技盤の前面に沿って落下移動させ、遊技盤の前面に設けられた入賞装置へ入賞させる遊技を行うような構成の弾球遊技機に関する。
【背景技術】
【０００２】
このような弾球遊技機を代表するものとしてパチンコ機が知られている。パチンコ機は、これに装備された発射装置から発射された遊技球を遊技盤面上に配設したレールに沿って移動させて遊技盤の上部に打ち出し、遊技球を遊技盤前面に沿って落下移動させ、遊技盤前面の所定位置に設けられた入賞装置へ遊技球が入賞したときに、所定数の遊技球を賞球として払い出す遊技を行うように構成されている。遊技盤の前面には、入賞装置に加えて所定の配列で遊技盤に打ち込まれた多数の釘、風車等が設けられており、遊技球の落下移動経路を多様に変化させて遊技演出効果を持たせている。さらに、遊技盤前面の遊技領域の周囲にはレール飾り、ランプ飾りが設けられて遊技領域を設定するとともに遊技中でのランプ点灯により演出効果を高める工夫が凝らされている。
【０００３】
また、遊技盤の中央部には、周囲を中央飾りにより囲まれるとともにその内部空間内に液晶表示装置や入賞具を設けてなるセンター役物を配設することも多い。センター役物において内部空間内に入賞具を設けるときに、中央飾りの上部や左右側部に遊技球が入り込むことが可能な通路を設け、この通路を通って内部空間内に入り込んだ遊技球が内部空間の下面転動面上を転動移動して、入賞具に入賞したり、入賞具には入賞せずに外側に排出されたりするような工夫がなされている。このようなことは、例えば、特許文献１にも記載されている。
【特許文献１】特開２００４−１４７９４１号公報
【発明の開示】
【発明が解決しようとする課題】
【０００４】
このように従来のパチンコ機では遊技盤前面に沿って落下移動する遊技球の移動経路に多様性を持たせたり、センター役物において中央飾りの内部空間の下面転動での遊技球の転動移動による演出等、遊技性を高め、遊技者が遊技をより楽しく行えるようにする種々の工夫がなされているが、近年特にモータ等の動力を必要とせずに作動して遊技球の移動経路を変更させるような遊技構成部材をセンター役物に自由に配設して遊技性をさらに高めることができるような遊技装置構成が求められている。
【０００５】
以上のような課題に鑑みて、本発明では、遊技性を向上させた弾球遊技機を提供することを目的とする。
【課題を解決するための手段】
【０００６】
前記課題を解決するために本発明に係る弾球遊技機は、入賞装置（例えば、実施形態における始動入賞装置１７および大入賞装置１８）が設けられた遊技盤を立設配置して構成され、遊技盤の上部に打ち出された遊技球を遊技盤の前面に沿って落下移動させて入賞装置へ入賞させる遊技を行うように構成された弾球遊技機（例えば実施形態におけるパチンコ機ＰＭ）において、遊技盤の前面に後方に凹んで形成され遊技球を内部空間内に導入可能に構成されたセンター役物が設けられ、内部空間の下部に設けられ内部空間に導入された遊技球が転動可能なステージ部（例えば、実施形態における第２ステージ部１２０）と、内部空間において遊技盤に対して略垂直に延びる揺動軸からステージ部の上方に遊技球の転動を遮るように吊り下げられ、揺動軸を中心として左右に揺動自在な可動体とを有し、ステージ部にステージ部を転動する遊技球を受け止めて支持する溝部が前後に延びて形成され、ステージ部を溝部に向けて転動する遊技球が可動体に衝突して可動体が遊技球の転動する方向に一定以上揺動するときに、遊技球が可動体の下方を通過して溝部内に落入し、溝部を前方へ転動してセンター役物の下方に設けられた所定の入賞装置に向けて落下するように構成される。
【０００７】
また、上記構成の弾球遊技機において、ステージ部が、第１のステージ部（例えば、実施形態における第１ステージ部１１０）と、内部空間における第１のステージ部の前下方に設けられ、第１のステージ部から落下した遊技球を受け止めてセンター役物の下方へ排出する第２のステージ部（例えば、実施形態における第２ステージ部１２０）とを有して構成され、揺動軸が第１のステージ部の前面に取り付けられて可動体が第２のステージ部における遊技球の転動を遮るように吊り下げられ、溝部が前記第２のステージ部に形成されているのが好ましい。
【０００８】
また、上記構成の弾球遊技機において、溝部が第２のステージ部の略中央部に形成され、揺動軸が所定の間隔をおいて並設され左右一対の可動体が溝部を挟んで吊り下げられて、左右一対の可動体が第２のステージ部上を左右いずれの側から溝部に向けて転動する遊技球の落下経路を変更可能であるように構成するのが好ましい。
【０００９】
さらに、上記構成の弾球遊技機において、溝部の一方の側の壁面（例えば、実施形態における壁面１２４）と他方の側の壁面（例えば、実施形態における壁面１２５）とが相違する高さを有して構成されるようにしてもよい。
【００１０】
また、上記構成の弾球遊技機において、第２のステージ部が、第２のステージ部上を左右両側から溝部に向けて転動する遊技球が互いに溝部の前後方向に異なる落入位置から溝部内へと落入するように形成されるようにしてもよい。
【発明の効果】
【００１１】
本発明に関する弾球遊技機によれば、内部空間に導入された遊技球がステージを転動しつつ中央飾りの下方に向けて落下するが、内部空間には遊技球の落下経路を変更するための可動体が設けられている。この可動体は、遊技球が衝突することにより一定以上可動したときに、遊技球を通過させるように構成されている。このため遊技球の勢いに応じて、この可動体が遊技球を所定の方向に誘導することが可能となっている。また、可動体の存在によって遊技球を入賞装置に入賞し易くさせたり、入賞しにくくさせたりすることが可能であり、特に、可動体を通過した遊技球は入賞装置に入賞し易くなるように構成され、遊技性がより向上した遊技装置構成になっている。また、可動体を溝部を挟んで左右一対設けるようにすれば、ステージ上を溝部に対して左右いずれの側から転動する遊技球の落下経路を変更できるため、さらなる遊技性の向上を図ることが可能である。
【００１２】
さらに、この可動体の作動には、モータやソレノイドといったもので発生させる動力を必要としないため、外部からの電力供給が不要で外部配線が不要であり、センター役物のステージ上に自由に配設することができるという利点を有する。その上、モータやソレノイドを必要としない分、部品の数を減らすことができ、遊技装置を構成する上でのコストを削減することができる。
【００１３】
また、可動体を通過した遊技球が落入する溝部の一方の側の壁面と他方の側の壁面とが相違する高さを有して構成したり、または、第２のステージ部上を左右両側から溝部に向けて転動する遊技球が互いに溝部の前後方向に異なる落入位置から溝部内へと落入するように第２のステージ部を構成すれば、ステージ上を転動する２個の遊技球が、溝部の左右両側から同時に溝部に達したような場合であっても、溝部内に当該２個の遊技球が詰まってしまうのを防止することができる。
【発明を実施するための最良の形態】
【００１４】
以下、本発明の好ましい実施形態について図面を参照しながら説明する。本発明に係る弾球遊技機の代表例としてパチンコ機ＰＭを図１および図２に示しており、まず、これらの図面を参照しながらパチンコ機ＰＭの全体構成について要約説明する。ここで、図１はパチンコ機ＰＭのガラス扉を開放して示す正面図で、図２はパチンコ機ＰＭの内部構造を表した背面図である。
【００１５】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構により前方に横開き開閉及び着脱が可能に取り付けられ、正面右側に設けられた施錠装置７を利用して常には外枠１と係合連結された閉止状態に保持される。
【００１６】
前枠２の前面側には、上部に前枠２の前面域に合わせた方形状のガラス扉３が、下部に球皿４が、それぞれ正面左側に設けられたヒンジ機構で横開き開閉及び着脱可能に取り付けられ、正面右側に設けられた施錠装置７および球皿施錠装置（図示せず）を利用して常には前枠２の前面を覆う閉止状態に保持される。また、球皿４の右側下部には、遊技球の発射操作を行う発射ハンドル５が取り付けられている。
【００１７】
ガラス扉３の背後に位置する前枠上部には、方形枠状の収容部２ａが前枠２に一体に設けられており、この収容部２ａに設けられた遊技盤係止具８を利用して遊技盤１０が前面側から着脱可能に立設保持されてガラス扉３を通して視認可能となっている。なお、本実施形態においては遊技盤係止具８を収容部２ａに具備して前面側から遊技盤１０を取付可能に構成しているが、収容部を背面側に設けて遊技盤を背面側において取付可能な構成としてもよい。
【００１８】
遊技盤１０は、板厚１９ｍｍ程度の積層合板を所定形状に切断等して、その表面に所定意匠のセルを貼り付けた化粧板（ベニヤとも称される）１１を基板として構成される。化粧板１１の前面には、上下２分割のレール飾り１２，１３がビス止めされ、内側に略円形の遊技領域ＰＡが区画形成されるとともに、遊技球発射装置（図示せず）から発射される遊技球を遊技領域ＰＡの上部に導く案内レール面１４，１５が形成される。遊技領域ＰＡの内側には多数本の遊技釘とともに風車１６、始動入賞装置１７や大入賞装置１８等の各種入賞装置、図柄表示装置２０が取り付けられた中央飾り１００等の遊技構成部品が取り付けられ、下端部には各入賞装置に入賞することなく遊技領域ＰＡを転動落下した遊技球を回収するためのアウト口１９が設けられる。
【００１９】
前枠２の背面側には、図２に示すように、外枠１の内寸サイズよりも幾分小さめの矩形枠状に形成された裏セット盤３０が、互いの背面右側に配設され、前後方向にスライドさせて開閉作動可能に構成されたヒンジ機構６ａ，６ｂにより横開き開閉および着脱可能に取り付けられ、背面各部に設けられた裏セット盤係止具９を用いて常には前枠２の背面を覆う閉鎖状態に保持される。裏セット盤３０には、遊技球を貯留する球貯留タンク３１、球貯留タンク３１から供給された遊技球を整列させて流下させるタンクレール３２、球圧を軽減して遊技球を下方に流下させるＳ字レール３３、入賞状態等に基いて遊技球を払い出す球払出装置３４、球払出装置３４から払い出された遊技球を球皿４に導く球払出通路３５等の遊技球の処理機構が設けられている。
【００２０】
また、裏セット盤３０の背面には、制御装置、電子部品に電力を供給する電源ユニット４１、パチンコ機ＰＭの作動を統括的に制御する主制御装置４２、効果照明、効果音等の遊技演出の制御を主に行うサブ制御装置４３、遊技球の払出作動を制御する球払出制御装置４４、遊技施設側と信号の入出力を行う外部中継端子基板４５等の各種制御装置、回路基板等の電子部品が取り付けられており、これらが図示しないコネクタケーブルで接続されてパチンコ機ＰＭが作動可能に構成される。
【００２１】
パチンコ機ＰＭは、ガラス扉３、球皿４、裏セット盤３０等が閉鎖施錠された状態で遊技に供され、球皿４に遊技球を貯留させて発射ハンドル５を回動操作することにより遊技が開始される。発射ハンドル５が回動操作されると、球皿４に貯留された遊技球が、球皿４の背面側に配設される遊技球発射装置により１球ずつ遊技領域ＰＡに打ち出され、パチンコゲームが展開される。
【００２２】
次に、センター役物ＣＹについて図３乃至図５を追加参照しながら説明する。図３はパチンコ機の遊技盤に装着されるセンター役物を示す正面図で、図４はセンター役物の内部空間の下部に設けられたステージ部周辺を示す平面図で、図５はセンター役物ＣＹの内部空間の下方に設けられたステージ部周辺を示す図３中の矢印Ａ−Ａに沿った部分側断面図である。
【００２３】
センター役物ＣＹは、樹脂材料を用いて射出成形等により一体的に形成された中央飾り１００を遊技盤１０の中央前面側に取り付けられて構成される。この中央飾り１００の中央部には、遊技盤１０の前面に向けて開口する内部空間１０１が形成されており、閉鎖されたガラス扉３を通じて、内部空間１０１の上部であって中央飾り１００の奥に取り付けられた図柄表示装置２０の表示面２０ａを視認できるようになっている。
【００２４】
中央飾り１００の左側部には、遊技領域ＰＡを流下する遊技球が通過可能な球取込口１０２が形成されており、中央飾り１００内のワープ通路１０３に繋がっている。このワープ通路１０３は、中央飾り１００内で球取込口１０２から下方および後方に延びて内部空間１０１へ繋がるように形成されており、球取込口１０２を通過してワープ通路１０３に達した遊技球は、ワープ通路１０３内を転動して内部空間１０１に入球するようになっている。
【００２５】
内部空間１０１の下部には、内部空間１０１に入球した遊技球が転動可能な第１ステージ部１１０が形成される。第１ステージ部１１０は、内部空間１０１において左右に延びるように形成され、第１ステージ部１１０上に波面状の振り分け部１１１が形成されている。この振り分け部１１１の左側端部はワープ通路１０３に繋がっており、ワープ通路１０３を通過した遊技球が振り分け部１１１（第１ステージ部１１０）の上を転動するようになっている。
【００２６】
振り分け部１１１の中央山部には、後方へ向かうにつれて下方へ傾斜する中央傾斜部１１２が形成されており、振り分け部１１１の中央山部で略停止した遊技球は、中央傾斜部１１２を後方へ転動して第１ステージ部１１０後方に設けられた後ステージ部１４０の略中央部に上下に延びて形成されている球誘導路１４１内に落下するようになっている。
【００２７】
また、第１ステージ部１１０の略中央部には、球誘導路１４１の下部から第１ステージ部１１０の前下方に設けられた第２ステージ部１２０側に前後に貫通する球誘導孔１１５が形成されている。この球誘導孔１１５の底面は、前方に向かうにつれて下方へ傾斜するようになっており、このため、第１ステージ部１１０の中央傾斜部１１２から球誘導路１４１内に落下した遊技球は、この球誘導孔１１５を通過して第２ステージ部１２０に誘導されるようになっている。
【００２８】
振り分け部１１１の左右谷部には、前方へ向かうにつれて下方へ傾斜する（前方が開放された）左傾斜部１１３および右傾斜部１１４がそれぞれ形成されており、振り分け部１１１の左側谷部もしくは右側谷部で略停止した遊技球は、左傾斜部１１３もしくは右傾斜部１１４を前方へ転動して第２ステージ部１２０に落下するようになっている。
【００２９】
すなわち、ワープ通路１０３を通過して振り分け部１１１（第１ステージ部１１０）に達した遊技球は、振り分け部１１１（第１ステージ部１１０）の上を一時的に停留するように左右へ転動し、各傾斜部１１２，１１３，１１４のいずれかを通過して第１ステージ部１１０から落下するようになっている。
【００３０】
前述したように、内部空間１０１における第１ステージ部１１０の前下方には、第２ステージ部１２０が左右に延びて形成されている。この第２ステージ部１２０は、全体として略水平面状に構成され、その略中央部には、遊技球よりも若干幅が狭く、前方へ向かうにつれて下方へ傾斜する溝部１２１が前後に延びて形成されている。溝部１２１は、第１ステージ部１１０に形成された球誘導孔１１５の前下方に位置し、球誘導孔１１５から落下した遊技球を受け止めて支持するように構成される。この溝部１２１に落入した遊技球は、溝部１２１に案内されるようにして前方に転動する。
【００３１】
また、第２ステージ部１２０には、溝部１２１を挟んだ左右一対の凹部１２２，１２３が前後に窪んで形成されている。これら凹部１２２，１２３は、前方へ向かうにつれて下方へ傾斜しており、凹部１２２，１２３内に入った遊技球は、凹部１２２，１２３を前方に転動し、第２ステージ部１２０の前下方に設けられた第３ステージ部１３０に向けて落下するようになっている。
【００３２】
第３ステージ部１３０は、内部空間１０１における第２ステージ部１２０の前下方に左右に延びて左右両端から中央に向けて下方へ傾斜するように形成され、その略中央部には、前方へ向かうにつれて下方へ傾斜する傾斜部１３１が形成されている。第２ステージ部１２０から第３ステージ部１３０に向けて落下した遊技球は、傾斜部１３１の上を一時的に停留するように左右に転動し、傾斜部１３１から中央飾り１００（内部空間１０１）の下方へ排出されるようになっている。
【００３３】
そして、特に第２ステージ１２０の溝部１２１を前方へ転動して第３ステージ部１３０に落下した遊技球は、傾斜部１３１の略中央部を前方に真っ直ぐに通過し、遊技領域ＰＡの下部において中央飾り１００の下方に設けられた始動入賞装置１７へ向けて落下するようになっている。このように、溝部１２１に支持された遊技球は始動入賞装置１７へ向けてほぼ真っ直ぐに落下するため、第２ステージ部１２０に達した遊技球をより確実に始動入賞装置１７に向けて落下させることができる。
【００３４】
第１ステージ部１１０の前面には、球誘導孔１１５を挟んで左右一対取り付けられた揺動軸１５３が前後に延びている。これらのうち、向かって左側の揺動軸１５３には、当該左側の揺動軸１５３を中心として左右に揺動自在な可動体１５１が、向かって右側の揺動軸１５３には、当該右側の揺動軸１５３を中心として左右に揺動自在な可動体１５２取り付けられている。これら可動体１５１，１５２は、いずれも、第２ステージ部１２０に向けて下方に延びた状態で揺動軸１５３に吊り下げられている。なお、左右一対の可動体１５１，１５２は、図３に示すように、溝部１２１を挟んで溝部１２１の幅よりも広い間隔で設けられているが、必ずしもこのように構成するとは限らず、左右の可動体１５１，１５２が溝部１２１の幅よりも若干狭い間隔を有し、いずれも溝部１２１の上方に向けて揺動自在に吊り下げられるようにしてよい。
【００３５】
可動体１５１，１５２は、第２ステージ１２０を転動する遊技球の転動経路を変更させる経路変更部材としての役割を有している。すなわち、向かって球誘導孔１１５の右側に設けられている可動体１５２を例に説明すると、第２ステージ部１２０を溝部１２１に向けて左方に転動する遊技球の勢いがある程度強い場合には、遊技球が可動体１５１に衝突することにより可動体１５２が溝部１２１の側に一定以上揺動し、遊技球が可動体１５２の下方を通過して溝部１２１内に落入する。そして、遊技球は溝部１２１を前方へ転動して第３ステージ部１３０の傾斜部１３１の略中央部を前方に真っ直ぐに通過し、中央飾り１００の下方に設けられた始動入賞装置１７に向けて落下する。
【００３６】
一方、第２ステージ部１２０を溝部１２１に向けて左方に転動する遊技球の勢いがそれ程強くない場合には、遊技球が可動体１５２に衝突しても可動体１５２が遊技球を通過させる程度に溝部１２１の側に大きくは揺動せず、遊技球は溝部１２１内に落入出来ずに可動体１５２により右方に押し戻されて第２ステージ１２０を逆行する。そして、凹部１２３を越えることができずに凹部１２３内に入った遊技球は、凹部１２３を前方に転動して第３ステージ部１３０の傾斜部１３１を前方に転動する。また、可動体１５２により右方に押し戻されて右方に転動する遊技球が凹部１２３内に入らずに凹部１２３を越えた場合には、そのまま第３ステージ部１３０に落下し、第３ステージ部１３０を傾斜部１３１に向けて転動して、さらに傾斜部１３１を前方に転動する。
【００３７】
また、第２ステージ部１２０を溝部１２１に向けて左方に転動する遊技球の勢いがかなり弱く、凹部１２３を越えることができなかった場合には、遊技球は凹部１２３内に入り、そのまま凹部１２３内を前方に転動して第３ステージ部１３０の傾斜部１３１に至る。
【００３８】
以上、球誘導孔１１５の右側に設けられている可動体１５２に向けて第２ステージ部１２０を左方に転動する遊技球を例に説明したが、以上のことは、第２ステージ部１２０の左側に設けられている可動体１５１に向けて第２ステージ部１２０を右方に転動する遊技球の場合についても同様である。
【００３９】
以上説明したように本発明においては、センター役物ＣＹの内部空間１０１における可動体１５１，１５２の存在によって、内部空間１０１内を転動する遊技球が始動入賞装置１７に入賞し易くなったり、入賞しにくくなったりするようになっている。すなわち、前述したように第１ステージ部１１０の中央傾斜部１１２から球誘導路１４１内に落入し、球導入孔１１５内を転動して溝部１２１を前方に転動する遊技球、もしくは、第１ステージ部１１０の左傾斜部１１３もしくは右傾斜部１１４から第２ステージ部１２０に落下し、可動体１５１もしくは可動体１５２を一定以上揺動させて溝部１２１に落入し溝部１２１を前方に転動する遊技球は、第３ステージ部１３０の傾斜部１３１の略中央部を前方に真っ直ぐに転動するため、中央飾り１００の下方へ落下する遊技球は、始動入賞装置１７に入賞し易くなっている。
【００４０】
これに対し、第２ステージ部１２０を転動する遊技球が溝部１２１に落入しなかった場合には、第３ステージ部１３０の傾斜部１３１の略中央部を前方に真っ直ぐに通過しないため、傾斜部１３１から中央飾り１００の下方へ落下する遊技球は、始動入賞装置１７に入賞しにくくなっている。
【００４１】
なお、これまで本発明の好ましい実施形態について説明してきたが、本発明の範囲は上述した実施形態に限定されるものではない。図６に示すように、第２ステージ部１２０に形成された溝１２１部の正面視向かって左側の壁面１２４と右側の壁面１２５とが相違する高さを有して構成されるようにしてもよい。すなわち、例えば、左側の壁面１２４の高さよりも右側の壁面１２５の高さを高くするようにしてもよい。このように溝部１２１の壁面を構成すれば、第２ステージ部１２０上をその左右両側から溝部１２１に向けて転動する２個の遊技球が同時に溝部１２１に達したような場合であっても、これによる球詰まりが生じることはない。これは、上記のような溝部１２１の非対称な壁面の構成により、２個の遊技球が同時に溝部１２１に達した場合には、一方の遊技球の他方の遊技球を押す力が大きくなり２個の遊技球の他方に及ぼす力が釣り合うことがないため、いずれか一方の遊技球の方が優先的に溝部１２１を前方に向けて転動し始めるためである。
【００４２】
また、第２ステージ部１２０上を左右両側から溝部１２１に向けて転動する遊技球が互いに溝部１２１の前後方向に異なる落入位置から溝部１２１内へと落入するように第２ステージ部１２０を形成してもよい。この場合、例えば図７に示すように、溝部１２１が、第２ステージ部１２０の前方に向かって下方に傾斜する左側の傾斜面１２６と、第２ステージ部１２０の後方に向かって下方に傾斜する右側の傾斜面１２７との間に形成されるように第２ステージ部１２０を構成すればよい。このように溝部１２１を形成すれば、第２ステージ部１２０上をその左右両側から溝部１２１に向けて転動する２個の遊技球が同時に溝部１２１に達したような場合であっても、これによる球詰まりが生じることはない。これは、２個の遊技球が同時に溝部１２１に達した場合には、第２ステージ部１２０上を右方に転動する遊技球は傾斜面１２６を前方に転動しつつ溝部１２１に落入し、第２ステージ部１２０上を左方に転動する遊技球は傾斜面１２７を後方に転動しつつ溝部１２１に落入して、当該２個の遊技球がその真正面から出会うことがないためである。
【００４３】
あるいは上記のような第２ステージ部１２０の構成は、溝部１２１の両側がいずれも第２ステージ部１２０の前方もしくは後方に同一の方向に傾斜するが、いずれか一方の傾斜面の傾斜角度を大きく、すなわち他方の傾斜面の傾斜角度を緩く構成することによっても実現できる。このように構成することで、２個の遊技球が同時に溝部１２１に達した場合には、いずれか一方の遊技球が先に溝部１２１に落入して双方の遊技球が真正面から出会うことがないため、球詰まりを防止できるようになっている。
【００４４】
さらに、上記のような第２ステージ部１２０の構成は、第２ステージ部１２０上の溝部１２１近傍であって溝部１２１を挟んで左右両側に溝部１２１の前後方向に互い違いに遊技球の転動を妨げる障害物を設けることによっても実現可能である。すなわち、このような障害物を設ければ、２個の遊技球が同時に溝部１２１に対して左右両側から溝部１２１に達した場合であっても、互い違いに設けられた上記障害物によって各々の遊技球が溝部１２１の前後方向に異なる落入位置から溝部１２１内へと落入するように誘導されて、双方の遊技球が真正面から出会うことがないため、球詰まりを防止できるようになっている。
【００４５】
ここで、本発明において達成される効果は下記のようになっている。すなわち、本発明に係る弾球遊技機においては、内部空間に導入された遊技球がステージ部を転動しつつ中央飾りの下方に向けて落下するが、内部空間には遊技球の落下経路を変更するための可動体が設けられている。この可動体は、遊技球が衝突することにより一定以上可動したときに、遊技球を通過させるように構成されている。このため遊技球の勢いに応じて、この可動体が遊技球を所定の方向に誘導することが可能となっている。
【００４６】
また、可動体の存在によって遊技球を入賞装置に入賞し易くさせたり、入賞しにくくさせたりすることが可能であり、特に、可動体を通過した遊技球は入賞装置に入賞し易くなるように構成され、遊技性がより向上した遊技装置構成になっている。また、可動体を溝部を挟んで左右一対設けるようにすれば、ステージ上を溝部に対して左右いずれの側から転動する遊技球の落下経路を変更できるため、さらなる遊技性の向上を図ることが可能である。
【００４７】
さらに、この可動体は、モータやソレノイドといったもので発生させる動力を必要としないため、外部からの電力供給が不要で外部配線が不要であり、センター役物のステージ上に自由に配設することができるという利点を有する。その上、モータやソレノイドを必要としない分、部品の数を減らすことができ、遊技装置を構成する上でのコストを削減することができる。
【００４８】
さらに、可動体を通過した遊技球が落入する溝部の一方の側の壁面と他方の側の壁面とが相違する高さを有するように構成したり、または、第２のステージ部上を左右両側から溝部に向けて転動する遊技球が互いに溝部の前後方向に異なる落入位置から溝部内へと落入するように第２のステージ部を構成すれば、ステージ上を転動する２個の遊技球が、溝部の左右両側から同時に溝部に達したような場合であっても、溝部内に当該２個の遊技球が詰まってしまうのを防止することができる。
【図面の簡単な説明】
【００４９】
【図１】本発明に係る弾球遊技機の一例として示すパチンコ機の正面図である。
【図２】上記パチンコ機の内部構造を表した図である。
【図３】上記パチンコ機の遊技盤に装着されるセンター役物を示す正面図である。
【図４】上記センター役物の内部空間の下部に設けられたステージ部周辺を示す平面図である。
【図５】上記センター役物ＣＹの内部空間の下方に設けられたステージ部周辺を示す図３中の矢印Ａ−Ａに沿った部分側断面図である。
【図６】ステージ部に形成された一実施形態における溝部周辺を示す正面図である。
【図７】ステージ部に形成された一実施形態における溝部周辺を示す正面図である。
【符号の説明】
【００５０】
ＰＭ  パチンコ機（弾球遊技機）
ＰＡ  遊技領域
ＣＹ  センター役物
１  外枠
２  前枠
５  ガラス扉
６  球皿
１０  遊技盤
１７  始動入賞装置（入賞装置）
１８  大入賞装置（入賞装置）
２０  図柄表示装置
１００  中央飾り
１０１  内部空間
１１０  第１ステージ部（第１のステージ部）
１２０  第２ステージ部（ステージ部、第２のステージ部）
１２１  溝部
１２２  凹部
１２３  凹部
１２４  壁面
１２５  壁面
１２６  傾斜面
１２７  傾斜面
１３０  第３ステージ部
１５１  可動体
１５２  可動体
１５３  揺動軸
【図１】
2006198137.tif 000003
【図２】
2006198137.tif 000004
【図３】
2006198137.tif 000005
【図４】
2006198137.tif 000006
【図５】
2006198137.tif 000007
【図６】
2006198137.tif 000008
【図７】
2006198137.tif 000009